【手続補正書】
【提出日】平成21年2月27日(2009.2.27)
【手続補正１】
【補正対象書類名】明細書
【補正対象項目名】発明の名称
【補正方法】変更
【補正の内容】
【発明の名称】自発光素子を用いた表示装置
【手続補正２】
【補正対象書類名】特許請求の範囲
【補正対象項目名】全文
【補正方法】変更
【補正の内容】
【特許請求の範囲】
【請求項１】
自発光素子をマトリクス状に配列した画素で構成された、少なくとも２色以上の表示を電流値制御に基づいて行う表示装置の前記自発光素子の各発光色に応じて調整された第１の電流を生成し、前記各発光色ごとに出力する基準電流出力部と、
前記基準電流出力部から出力された前記第１の電流を、信号線から送られてくる表示階調データの情報を反映させた第２の電流に変換し、表示領域側に出力する複数の電流出力部と、
前記電流出力部から出力された、前記第２の電流の出力先を前記各発光色に対応した各画素列に切り替える第１のセレクタ部とを備え、
前記基準電流出力部は、前記第１のセレクタ部の切り替えに応じて、前記第１の電流を出力する、自発光素子を用いた表示装置。
【請求項２】
ソース信号線の電圧を高速に変化させるプリチャージ電圧を決定し、生成して出力するプリチャージ電圧発生部を備える、請求項１に記載の自発光素子を用いた表示装置。
【請求項３】
前記プリチャージ電圧発生部と前記第１のセレクタ部との間に接続され、前記電圧プリチャージを実施するか否かを判定する電圧印加選択部を備え、
前記プリチャージ電圧発生部は、前記電圧印加選択部の判定結果に応じて、前記プリチャージ電圧を出力する、請求項２に記載の自発行素子を用いた表示装置。
【請求項４】
前記基準電流出力部は、
前記各発光色ごとに調整された前記第１の電流に対応する基準電流を、個別に生成し出力する複数の基準電流生成部と、
前記複数の基準電流生成部と前記複数の電流出力部との間に接続され、前記第１のセレクタ部の前記切り替えと同じタイミングで、前記第１のセレクタ部の切り替えに応じた前記基準電流を、前記第１の電流として出力する第２のセレクタ部とを備える、請求項１または２に記載の自発光素子を用いた表示装置。
【請求項５】
前記第２のセレクタ部は、前記複数の基準電流生成部が出力する前記基準電流を、１水平走査期間における時分割クロックに同期して、所定の順番に従って前記第１の電流として出力する、請求項４に記載の自発光素子を用いた表示装置。
【請求項６】
前記第１のセレクタ部の前段に接続され、前記第１のセレクタ部と前記第２のセレクタ部とを連動動作させる表示色切り替え信号を、前記第１のセレクタ部に入力するための表示色切り替え信号線を備える、請求項４に記載の自発光素子を用いた表示装置。
【請求項７】
前記発光色は、赤、青、緑、黄、シアン、マゼンタのうちから選ばれる２以上の発光色である、請求項４に記載の自発光素子を用いた表示装置。
【請求項８】
自発光素子がマトリクス状に形成された画素回路を有し、前記画素回路へは、１つのソースドライバ出力端子に対して接続される少なくとも２つ以上のソース信号線を介してソースドライバ出力信号が入力される、アクティブマトリクス型の自発光素子を用いた表示装置であって、
前記画素回路は、
前記自発光素子に供給する電流を制御する駆動トランジスタと、
前記駆動トランジスタに流れる電流量の決定を行う、前記駆動トランジスタの第１の電極に信号を書き込むための第１のスイッチング素子とを具備し、
前記第１のスイッチング素子の制御信号は、前記ソース信号線ごとに異なることを特徴とする、自発光素子を用いた表示装置。
【請求項９】
前記ソース信号線に、表示階調に応じた、電流が流れる期間が有ることを特徴とする請求項８に記載の自発光素子を用いた表示装置。
【請求項１０】
１つのソースドライバ出力端子に対して接続される前記少なくとも２つ以上のソース信号線は、相互に接続されていることを特徴とする請求項８に記載の自発光素子を用いた表示装置。
【請求項１１】
前記第１のスイッチング素子の制御信号は、接続される前記ソース信号線ごとに異なる期間において前記第１のスイッチング素子を導通状態にすることを特徴とする請求項８に記載の自発光素子を用いた表示装置。
【手続補正３】
【補正対象書類名】明細書
【補正対象項目名】００２５
【補正方法】変更
【補正の内容】
【００２５】
故に、本発明は、表示装置の水平走査線数を減らすことなく、回路規模が小さく、かつ低コストの自発光素子を用いた表示装置を実現することを目的とする。
【手続補正４】
【補正対象書類名】明細書
【補正対象項目名】００２６
【補正方法】変更
【補正の内容】
【００２６】
上述した課題を解決するために、第１の本発明は、
自発光素子をマトリクス状に配列した画素で構成された、少なくとも２色以上の表示を電流値制御に基づいて行う表示装置の前記自発光素子の各発光色に応じて調整された第１の電流を生成し、前記各発光色ごとに出力する基準電流出力部と、
前記基準電流出力部から出力された前記第１の電流を、信号線から送られてくる表示階調データの情報を反映させた第２の電流に変換し、表示領域側に出力する複数の電流出力部と、
前記電流出力部から出力された、前記第２の電流の出力先を前記各発光色に対応した各画素列に切り替える第１のセレクタ部とを備え、
前記基準電流出力部は、前記第１のセレクタ部の切り替えに応じて、前記第１の電流を出力する、自発光素子を用いた表示装置である。
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】
【手続補正８】
【補正対象書類名】明細書
【補正対象項目名】００３０
【補正方法】削除
【補正の内容】
【手続補正９】
【補正対象書類名】明細書
【補正対象項目名】００３１
【補正方法】削除
【補正の内容】
【手続補正１０】
【補正対象書類名】明細書
【補正対象項目名】００３２
【補正方法】削除
【補正の内容】
【手続補正１１】
【補正対象書類名】明細書
【補正対象項目名】００３３
【補正方法】変更
【補正の内容】
【００３３】
また、第２の本発明は、
ソース信号線の電圧を高速に変化させるプリチャージ電圧を決定し、生成して出力するプリチャージ電圧発生部を備える、第１の本発明の自発光素子を用いた表示装置である。
【手続補正１２】
【補正対象書類名】明細書
【補正対象項目名】００３４
【補正方法】変更
【補正の内容】
【００３４】
また、第３の本発明は、
前記プリチャージ電圧発生部と前記第１のセレクタ部との間に接続され、前記電圧プリチャージを実施するか否かを判定する電圧印加選択部を備え、
前記プリチャージ電圧発生部は、前記電圧印加選択部の判定に応じて、前記プリチャージ電圧を出力する、第２の本発明の自発行素子を用いた表示装置である。
【手続補正１３】
【補正対象書類名】明細書
【補正対象項目名】００３５
【補正方法】変更
【補正の内容】
【００３５】
また、第４の本発明は、
前記基準電流出力部は、
前記各発光色ごとに調整された前記第１の電流に対応する基準電流を、個別に生成し出力する複数の基準電流生成部と、
前記複数の基準電流生成部と前記複数の電流出力部との間に接続され、前記第１のセレクタ部の前記切り替えと同じタイミングで、前記第１のセレクタ部の切り替えに応じた前記基準電流を、第１の電流として出力する第２のセレクタ部とを備える、第１または第２の本発明の自発光素子を用いた表示装置である。
【手続補正１４】
【補正対象書類名】明細書
【補正対象項目名】００３６
【補正方法】変更
【補正の内容】
【００３６】
また、第５の本発明は、
前記第２のセレクタ部は、前記複数の基準電流生成部が出力する前記基準電流を、１水平走査期間における時分割クロックに同期して、所定の順番に従って前記第１の電流として出力する、第４の本発明の自発光素子を用いた表示装置である。
【手続補正１５】
【補正対象書類名】明細書
【補正対象項目名】００３７
【補正方法】削除
【補正の内容】
【手続補正１６】
【補正対象書類名】明細書
【補正対象項目名】００３８
【補正方法】変更
【補正の内容】
【００３８】
また、第６の本発明は、
前記第１のセレクタ部の前段に接続され、前記第１のセレクタ部と前記第２のセレクタ部とを連動動作させる表示色切り替え信号を、前記第１のセレクタ部に入力するための表示色切り替え信号線を備える、第４の本発明の自発光素子を用いた表示装置である。
また、第７の本発明は、
前記発光色は、赤、青、緑、黄、シアン、マゼンタのうちから選ばれる２以上の発光色である、第４の本発明の自発光素子を用いた表示装置である。
また、第８の本発明は、
自発光素子がマトリクス状に形成された画素回路を有し、前記画素回路へは、１つのソースドライバ出力端子に対して接続される少なくとも２つ以上のソース信号線を介してソースドライバ出力信号が入力される、アクティブマトリクス型の自発光素子を用いた表示装置であって、
前記画素回路は、
前記自発光素子に供給する電流を制御する駆動トランジスタと、
前記駆動トランジスタに流れる電流量の決定を行う、前記駆動トランジスタの第１の電極に信号を書き込むための第１のスイッチング素子とを具備し、
前記第１のスイッチング素子の制御信号は、前記ソース信号線ごとに異なることを特徴とする、自発光素子を用いた表示装置である。
また、第９の本発明は、
前記ソース信号線に、表示階調に応じた、電流が流れる期間が有ることを特徴とする第８の本発明の自発光素子を用いた表示装置である。
また、第１０の本発明は、
１つのソースドライバ出力端子に対して接続される前記少なくとも２つ以上のソース信号線は、相互に接続されていることを特徴とする第８の本発明の自発光素子を用いた表示装置である。
また、第１１の本発明は、
前記第１のスイッチング素子の制御信号は、接続される前記ソース信号線ごとに異なる期間において前記第１のスイッチング素子を導通状態にすることを特徴とする第８の本発明の自発光素子を用いた表示装置である。
【手続補正１７】
【補正対象書類名】明細書
【補正対象項目名】００３９
【補正方法】削除
【補正の内容】
【手続補正１８】
【補正対象書類名】明細書
【補正対象項目名】００４０
【補正方法】削除
【補正の内容】
【手続補正１９】
【補正対象書類名】明細書
【補正対象項目名】００４１
【補正方法】削除
【補正の内容】
【手続補正２０】
【補正対象書類名】明細書
【補正対象項目名】００４２
【補正方法】削除
【補正の内容】
【手続補正２１】
【補正対象書類名】明細書
【補正対象項目名】００４３
【補正方法】削除
【補正の内容】
【手続補正２２】
【補正対象書類名】明細書
【補正対象項目名】００４４
【補正方法】削除
【補正の内容】
【手続補正２３】
【補正対象書類名】明細書
【補正対象項目名】００４５
【補正方法】削除
【補正の内容】
【手続補正２４】
【補正対象書類名】明細書
【補正対象項目名】００４６
【補正方法】削除
【補正の内容】
【手続補正２５】
【補正対象書類名】明細書
【補正対象項目名】００４７
【補正方法】削除
【補正の内容】
【手続補正２６】
【補正対象書類名】明細書
【補正対象項目名】００４８
【補正方法】削除
【補正の内容】
【手続補正２７】
【補正対象書類名】明細書
【補正対象項目名】００４９
【補正方法】削除
【補正の内容】
【手続補正２８】
【補正対象書類名】明細書
【補正対象項目名】００５０
【補正方法】変更
【補正の内容】
【００５０】
本発明によれば、従来の表示装置と比べて、回路規模が小さく、かつ低コストの、自発光素子を用いた表示装置を提供することができる。
【手続補正２９】
【補正対象書類名】明細書
【補正対象項目名】００８８
【補正方法】変更
【補正の内容】
【００８８】
電流プリチャージ及び電圧プリチャージを行うための電流出力部構成を図２５に示す。ここで選択部２５９は、階調データ５４もしくは、電流プリチャージ制御線２５４がハイレベルの際に階調表示用電流源６３を電流出力６４に接続する。選択部２５９は、接続するかどうかを決定するための手段である。図２１に示した電圧プリチャージ実施期間２１１は、電圧プリチャージパルス２５８のパルス幅により決められ、電流プリチャージ実施期間２１２は電流プリチャージパルス群２５６により決められる。電流プリチャージパルスが複数個あるのは、表示階調により最適な電流プリチャージ期間が異なるためで、階調に応じて最適なパルス幅を持つ電流プリチャージパルスを選択する。電流プリチャージパルス群２５６及び電圧プリチャージパルス２５８のいずれもが入力されない期間が図２１に示す階調電流出力期間２１３となる。
【手続補正３０】
【補正対象書類名】明細書
【補正対象項目名】０１５１
【補正方法】変更
【補正の内容】
【０１５１】
例えば基準電流生成部６１ａが赤色、基準電流生成部６１ｂが緑色、基準電流生成部６１ｃが青色の１階調あたりの電流を決めるものであるとすると、表示色切り替え信号４７５は表示データ４７３の信号の表示色に合わせてセレクタ４７１を制御し、表示色に応じた基準電流が基準電流線４７４を通じて電流出力部２５５に入力される。
【手続補正３１】
【補正対象書類名】明細書
【補正対象項目名】０１７４
【補正方法】変更
【補正の内容】
【０１７４】
図５２では赤１２階調で電流プリチャージ５を実施、緑１２階調で電流プリチャージ５を実施、青１２階調でプリチャージなしを時分割で電流出力した結果（６４ａ電流出力）及びそのときの各ゲート信号線動作を示している。（３０ａの信号線が赤色、３０ｂの信号線が緑色、３０ｃの信号線が青色の画素に対応する）なお６４ａ電流出力のうち期間５２５に示すハッチング部は電圧プリチャージ実施期間に相当しこのときの電流値はソース信号線容量の充電量によるため不定としている。
【手続補正３２】
【補正対象書類名】明細書
【補正対象項目名】０１９０
【補正方法】変更
【補正の内容】
【０１９０】
本発明によれば、従来の表示装置の課題を考慮した、回路規模が小さく、かつ低コストの、自発光素子を用いた表示装置を提供することができる。